(57)【要約】【課題】使い勝手の良い卵収納ケースとそれを用いた冷蔵庫の提供。【解決手段】冷蔵庫本体に設けた冷蔵室と、上記冷蔵室内に前後方向に設置した卵収納ケース５０とを備え、上記卵収納ケースは、ケース部５１と、複数の凹部５２を有する卵収納プレート５３とからなり、上記卵収納プレート５３はケース部５１の奥向に行くほど高くなるように設置した構成としてある。これにより、卵収納ケースの卵収納プレートの凹部に収納した卵は冷蔵室の奥に行くほど上方に位置するので、ケース部を冷蔵室から引き出さなくても当該ケース部の手前側から手を差し入れて簡単に卵を取り出すことができる。【選択図】図２８
2018105581.tif 000002
【特許請求の範囲】
【請求項１】
ケース部と、複数の凹部を有する卵収納プレートとからなり、上記卵収納プレートはケース部の奥向に行くほど高くなるように設置した構成とした卵収納ケース。
【請求項２】
ケース部と卵収納プレートは別体構成として着脱自在とした請求項１記載の卵収納ケース。
【請求項３】
ケース部はその側壁の高さを奥に行くほど高くなる形状として係止部を設けるとともに、卵収納プレートは前記係止部に係合する係合部を設けた請求項１または２記載の卵収納ケース。
【請求項４】
ケース部はその前部に取手を設けた請求項１から３のいずれか１項記載の卵収納ケース。
【請求項５】
冷蔵庫本体に設けた冷蔵室と、上記冷蔵室内に前後方向に設置した卵収納ケースとを備え、上記卵収納ケースは、請求項１〜４のいずれか１項に記載の卵収納ケースとした冷蔵庫。
【発明の詳細な説明】
【技術分野】
【０００１】
本発明は卵収納ケース及びそれを用いた冷蔵庫に関するものである。
【背景技術】
【０００２】
一般に冷蔵庫は冷蔵室に卵収納ケースを設けて卵を収納可能としてある（例えば、特許文献１参照）。
【０００３】
図４２は上記特許文献１記載の冷蔵庫の冷蔵室を示し、この冷蔵室１０１内には棚板１０２の一つによって形成したチルド室１０３の横に卵収納ケース１０４が引出し自在に設けてある。
【０００４】
この卵収納ケース１０４は、図４３に示すように、複数の凹陥部１０５を設けたプレート１０６をケース部１０７に一体形成してあるが、当該特許文献１の従来技術として記載されているように凹陥部１０５を設けたプレート１０６とケース部１０７とが別体となっているものもあり、この別体方式ではプレート１０６を取り外すことによってケース部１０７を卵以外の収納ケースとしても使用できるので最近ではこの別体方式が主流となってきている。
【先行技術文献】
【特許文献】
【０００５】
【特許文献１】特開２００９−２７０８１０号公報
【発明の概要】
【発明が解決しようとする課題】
【０００６】
しかしながら、上記卵収納ケース１０４は一体、別体いずれのものもプレート１０６は水平設置されており、奥の方に収納されている卵を取り出す際にはケース部１０７を引き出して取り出すという二つの動作が必要となって、面倒である、という課題があった。
【０００７】
本発明はこのような課題を解決したもので、ケースを引き出さなくても奥の卵を取り出すことができる使い勝手の良い卵収納ケースとそれを用いた冷蔵庫の提供を目的としたものである。
【課題を解決するための手段】
【０００８】
上記目的を達成するために、本発明の卵収納ケースは、ケース部と、複数の凹部を有する卵収納プレートとからなり、上記卵収納プレートはケース部の奥に行くほど高くなるように傾斜させた構成としてある。
【０００９】
これにより、卵収納プレートの凹部に収納した卵は奥に行くほど上方に位置するので、ケース部を引き出さなくても当該ケース部の手前側から手を差し入れて簡単に卵を取り出すことができる。
【００１０】
また、本発明の冷蔵庫は、冷蔵庫本体に設けた冷蔵室と、上記冷蔵室の前後方向に設置した卵収納ケースとを備え、上記卵収納ケースは、ケース部と、複数の凹部を有する卵収納プレートとからなり、上記卵収納プレートはケース部の奥方向に行くほど高くなるように傾斜させた構成としてある。
【００１１】
これにより、卵収納ケースの卵収納プレートの凹部に収納した卵は冷蔵室の奥に行くほ
ど上方に位置するので、ケース部を冷蔵室から引き出さなくても当該ケース部の手前側から手を差し入れて卵を取り出すことができる。
【発明の効果】
【００１２】
本発明は、上記構成によって、卵の取り出しが簡単にできる卵収納ケースと使い勝手の良い冷蔵庫を提供することができる。
【図面の簡単な説明】
【００１３】
【図１】本発明の実施の形態１における冷蔵庫の斜視図
【図２】同冷蔵庫の内部を示す正面図
【図３】同冷蔵庫の断面図
【図４】同冷蔵庫の冷気流れを説明する説明図
【図５】同冷蔵庫の冷蔵室を示す断面図
【図６】同冷蔵庫の冷蔵室を示す正面図
【図７】同冷蔵庫の冷蔵室の冷蔵室ダクトを示す分解斜視図
【図８】同冷蔵庫の冷蔵ダクトの断面図
【図９】同冷蔵庫の冷蔵室内における棚板の設置状態を示す斜視図
【図１０】同冷蔵庫の棚板設置状態を示す拡大斜視図
【図１１】同冷蔵庫の棚板設置状態を示す要部の拡大斜視図
【図１２】同冷蔵庫の棚板設置状態を示す要部の拡大断面図
【図１３】同冷蔵庫の貯蔵室内における棚板支持状態を示す斜視図
【図１４】同冷蔵庫の冷蔵室内から棚板を取り出す状態を説明する説明図
【図１５】同冷蔵庫の冷蔵室内における棚板支持部を示す拡大斜視図
【図１６】（ａ）同冷蔵庫の冷蔵室内における棚板の支持部を示す斜視図、（ｂ）同側面図
【図１７】（ａ）同冷蔵庫の冷蔵室内における棚板の後部支持状態を示す断面図、（ｂ）同棚板の後部支持状態を示す斜視図、（ｃ）同棚板の前部支持状態を示す断面図
【図１８】同冷蔵庫の冷蔵室内における棚板支持状態を示す平面図
【図１９】同冷蔵庫の棚板の平面図
【図２０】同冷蔵庫の冷蔵室内から棚板を取り出す時の途中経過を示す平面図
【図２１】同冷蔵庫の冷蔵室内の棚板を示す斜視図
【図２２】同冷蔵庫の冷蔵室の照明装置を示す斜視図
【図２３】同冷蔵庫の冷蔵室の照明状態を示す説明図
【図２４】同冷蔵庫の冷蔵室から基板保持ケースを外した状態を示す斜視図
【図２５】同冷蔵庫の照明装置の一つとなる側壁光源ユニットを分解して示す斜視図
【図２６】同冷蔵庫の側壁光源ユニットおよびその設置状態を示す断面図
【図２７】同冷蔵庫の照明装置の一つとなる天面光源ユニットおよびその設置状態を示す断面図
【図２８】同冷蔵庫の冷蔵室に設ける卵収納ケースの斜視図
【図２９】同冷蔵庫の卵収納ケースの分解斜視図
【図３０】同冷蔵庫の冷凍室から扉を引出した時の斜視図
【図３１】（ａ）同冷蔵庫の冷凍室に設けた収納ケースを支持する三段レール装置の斜視図、（ｂ）同三段支持レール装置を引き延ばした時の斜視図
【図３２】同冷蔵庫の冷凍室の本体レールを示す斜視図
【図３３】同冷蔵庫の冷凍室内に設けた三段構成の収納ケースを示す斜視図
【図３４】同冷蔵庫の三段構成収納ケースのうちの一段目の収納ケース支持構成を示す断面図
【図３５】同冷蔵庫の三段構成収納ケースの各収納ケース間における支持構成を示す断面図
【図３６】同冷蔵庫の三段構成収納ケースのうちの三段目の収納ケースを示す斜視図
【図３７】同冷蔵庫の冷凍室から三段構成の収納ケースを引出した時の斜視図
【図３８】同冷蔵庫の冷凍室から三段構成の収納ケースを引出した時の側面図
【図３９】同冷蔵庫の冷凍室から三段目の収納ケースを冷蔵庫本体外まで引出した時の斜視図
【図４０】同冷蔵庫の冷凍室から三段目の収納ケースを冷蔵庫本体外まで引出した時の側面図
【図４１】（ａ）（ｂ）（ｃ）（ｄ）同冷蔵庫の冷蔵庫本体からの各収納ケースの引出状態を示す説明図
【図４２】従来の冷蔵庫の卵収納ケース設置状態を示す斜視図
【図４３】同従来の卵収納ケースを示す斜視図
【発明を実施するための形態】
【００１４】
第１の発明は、卵収納ケースであり、上記卵収納ケースは、ケース部と、複数の凹部を有する卵収納プレートとからなり、上記卵収納プレートはケース部の奥向に行くほど高くなるように設置した構成としてある。
【００１５】
これにより、卵収納ケースの卵収納プレートの凹部に収納した卵は奥に行くほど上方に位置するので、ケース部を冷蔵室から引き出さなくても当該ケース部の手前側から手を差し入れて簡単に卵を取り出すことができる。
【００１６】
第２の発明は、第１の発明において、前記ケース部と卵収納プレートは別体構成として着脱自在とした構成としてある。
【００１７】
これにより、ケース部から卵収納プレートを取り外して当該ケース部を卵以外の収納ケースとして利用することができ、収納用途を広げることができる。
【００１８】
第３の発明は、第１または第２の発明において、前記ケース部はその側壁の高さを奥に行くほど高くなる形状として係止部を設けるとともに、卵収納プレートは前記係止部に係合する係合部を設けた構成としてある。
【００１９】
これにより、係止部と係合部を係合させるだけで卵収納プレートを傾斜設置できるとともに、当該係止部と係合部との係合を外した状態で卵収納プレートをケース部に設置することによって卵収納プレートを水平状態にすることもでき、使用者の好みに応じて使い分けることができる。
【００２０】
第４の発明は、第１〜第３の発明において、前記ケース部はその前部に取手を設けた構成としてある。
【００２１】
これにより、ケース部の引出しが容易になり、卵以外の収納に使用しているときの使い勝手を向上させることができる。
【００２２】
第５の発明は、冷蔵庫であり、この冷蔵庫は、冷蔵庫本体に設けた冷蔵室と、上記冷蔵室内に前後方向に設置した卵収納ケースとを備え、上記卵収納ケースは、第１〜第４のいずれかに記載の卵収納ケースとした構成としてある。
【００２３】
これにより、卵収納ケースの卵収納プレートの凹部に収納した卵は冷蔵室の奥に行くほど上方に位置するので、ケース部を冷蔵室から引き出さなくても当該ケース部の手前側から手を差し入れて簡単に卵を取り出すことができる。
【００２４】
以下、本発明の実施の形態について、図面を参照しながら説明する。なお、この実施の
形態によって本発明が限定されるものではない。
【００２５】
（実施の形態１）
図１〜図４は冷蔵庫の全体構成を説明する図、図５〜図８は冷蔵室とその冷却構成を説明する図、図９〜図１２は冷蔵室内の棚板構成を説明する図、図１３〜図２１は冷蔵室の棚板支持構成を説明する図、図２２〜図２７は野菜室の照明構成を説明する図、図２８、図２９は卵収納ケースを説明する図、図３０〜図４１は冷凍室の収納ケース構成を説明する図である。
【００２６】
（１−１．冷蔵庫の全体構成）
まず図１〜図４を用いて冷蔵庫の全体構成を説明する。
【００２７】
図１〜図４において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に真空断熱材（図３に黒線で示す）を設置して充填した発泡断熱材４とで構成してあり、仕切板５、６等によって複数の貯蔵室が仕切形成してある。また、前記冷蔵庫本体１の各貯蔵室は冷蔵庫本体１と同様の断熱構成を採用した回動式の扉７或いは引出し式の扉８、９、１０、１１で開閉自在としてある。
【００２８】
冷蔵庫本体１内に形成した貯蔵室は、最上部の冷蔵室１４と、冷蔵室１４の下に設けた小容量の第二冷凍室１５と、第二冷凍室１５の横に設けた製氷室１６と、第二冷凍室１５および製氷室１６と最下部の野菜室１７との間に設けた大容量の第一冷凍室（以下、この第一冷凍室を単に冷凍室と称す）１８で構成してある。そして、前記冷蔵室１４には複数の棚板１９が設けてあり、その下部にはチルド室２０が設けてある。
【００２９】
上記冷蔵室１４は、冷蔵保存するための貯蔵室で、凍らない程度の低い温度、具体的には、通常１〜５℃に設定され冷却される。また、冷蔵室内に設けたチルド室２０は冷蔵室１４よりは若干低めの１℃前後の温度に設定され冷却される。
【００３０】
野菜室１７は、冷蔵室１４と同等もしくは若干高く温度設定される貯蔵室で、具体的には、２〜７℃に設定され冷却される。この野菜室１７は野菜等の収納食品から発せられる水分により高湿度となるため、局所的に冷えすぎると結露することがある。そのため、比較的高い温度に設定することで冷却量を少なくし、局所的な冷えすぎによる結露発生を抑制している。
【００３１】
冷凍室１８及び第二冷凍室１５は、冷凍温度帯に設定される貯蔵室で、具体的には、通常−２２〜−１８℃に設定され冷却されるが、冷凍保存状態向上のため、例えば−３０℃や−２５℃などの低温に設定され冷却されることもある。
【００３２】
なお、第二冷凍室１５は冷凍温度帯から冷蔵温度帯まで冷却温度を切り替えることができる切替室としてもよいものである。
【００３３】
一方、前記冷凍室１８の背面には冷却室２３が設けてあり、この冷却室２３には冷気を生成する冷却器２４と、冷気を前記各室に供給する冷却ファン２５とが設置してある。そして更に冷却器２４の下方にはガラス管ヒータ等で構成した除霜手段２６が設けてある。
【００３４】
冷却器２４は、圧縮機２７と、コンデンサ（図示せず）と、放熱用の放熱パイプ（図示せず）と、キャピラリーチューブ（図示せず）とを環状に接続して冷凍サイクルを構成しており、圧縮機２７によって圧縮された冷媒の循環によって冷却を行う。
【００３５】
また、冷却ファン２５は冷却器２４の上方に設けてあり、その下流側に連なる冷蔵室ダクト２８、冷凍室ダクト（図示せず）、野菜室ダクト２９（図４参照）を介して冷蔵室１４、冷凍室１８、野菜室１７等に冷気を供給し、これら各室を冷却するようになっている。
【００３６】
以下、上記冷蔵室１４、冷凍室１８、野菜室１７の構成について説明していく。
【００３７】
（１−２．冷蔵室とその冷却構成）
次に図３〜図８を用いて冷蔵室とその冷却構成を説明する。
【００３８】
冷蔵室１４は、冷蔵庫本体１の最上部に位置していて図５等に示すように複数の棚板１９を有しており、側面及び天面の前方部分には照明装置３０が設けてある。この棚板１９の構成及び照明装置３０の構成については後述する。
【００３９】
また、冷蔵室１４の背面には前記した冷蔵室ダクト２８が上下方向に縦設してある。冷蔵室ダクト２８は、図７に示すように、発泡スチロールからなるダクト部材２８ａの冷蔵室側表面を樹脂製のダクトカバー２８ｂで覆って構成してあり、冷蔵室１４と冷凍室１８との間を仕切る仕切板５の冷蔵冷気供給口２２を覆う如く冷蔵室背面に装着して冷却室２３と連通させてある。そして、上記ダクト部材２８ａの前記冷蔵冷気供給口２２に繋がる通路部２１の下部には冷蔵室ダンパ３７を組み込み、その背面側部分に発泡スチロールからなるダンパカバー２８ｃを嵌め込んで冷蔵室ダンパ３７を覆っている。
【００４０】
更に、上記冷蔵室ダクト２８は図８に示すように冷蔵室背面壁１４ａから前方に突出する形で設けられており、そのダクト部材２８ａの前面壁厚は冷蔵室ダンパ設置部分の壁厚が最も厚く、冷蔵室ダンパ設置部分から上方に行くほど薄くなるように形成してある。そして、上記ダクトカバー２８ｂには左右両側に延出した延出リブ２８ｄが一体形成してあり、ダクト部材２８ａ側面部に設けた側面吐出口２８ｅを正面側から見えなくしている。
【００４１】
（１−３．冷蔵室内の棚板構成）
次に、図９〜図１２を用いて冷蔵室１４内に設けた棚板構成について説明する。
【００４２】
棚板１９は冷蔵室１４の冷蔵室ダクト２８前方部分に設けてあり、冷蔵室側壁の支持部３２（図１３、図１６参照）によって着脱自在に支持されている。この支持部３２による棚板１９の支持構成については後述する。
【００４３】
上記各棚板１９は前記冷蔵室ダクト２８の前面にその後端縁が当接するような形で設置してあるが、前記冷蔵室ダクト２８が冷蔵室背面壁１４ａから前方に突出しているので、図１０に示すように棚板後端縁両側部には冷蔵室ダクト両側部に生じる冷蔵室背面壁１４ａまでの隙間を塞ぐべく後ろ向きに突出する突出片３３が設けてある。
【００４４】
そして、上記棚板１９に設けた突出片３３のうち、最上段の棚板１９ａに設けた突出片３３ａは、この突出片３３ａが位置する部分の冷蔵室ダクト２８が圧縮機２７を冷蔵庫本体１の背面上方に設置した関係から前方へと屈曲した形となってい、冷蔵室背面壁１４ａまで突出する形とする長くて大きなものとなる。したがって、この冷蔵庫では当該部分に設ける突出片３３ａは、図１１、図１２に示すように、後端縁に行くほど上方に位置するように傾斜させ、その傾斜面３３ａａの後端縁が冷蔵室ダクト２８の前方へせり出して屈曲する屈曲部付近に対向するようにしてある。
【００４５】
また、上記各棚板１９、１９ａに設けた突出片３３、３３ａの後端縁の後方には冷気が流れる程度の幅、例えば１０〜２０ｍｍ程度の幅の冷気戻し用の隙間ｔを形成している。
【００４６】
なお、最上段の棚板１９ａの突出片３３ａ以外の棚板１９の突出片３３は水平に突出させてあるが、これもその後端縁が上方に位置するように設けてもよいものである。
【００４７】
（１−４．冷蔵室内の棚板支持構成）
次に図１３〜図２１を用いて上記棚板１９の支持構成について説明する。
【００４８】
棚板１９は既に述べたように冷蔵室１４の側面壁に設けたレール状の支持部３２によって支持してある。この支持部３２は、図１６（ａ）（ｂ）に示すように、前支持部３４と後支持部３５からなっている。そして、上記前支持部３４と後支持部３５は非連続状態となっていて間に凹所３６が設けてある。また、後支持部３５の後端部は二段構成とて一段低い支持面部３５ａが形成してある。
【００４９】
一方、上記支持部３２（３４、３５）に載置してある棚板１９は、図１９に示すように、強化ガラス等からなる透光性の棚板部材３８の外周に樹脂製の枠部材３９を装着して構成してあり、その前方両側部には前記支持部３２の前支持部３４によって支持される受け部４０を設けるとともに後方部は受け部のない切欠き部３９ａとなっている。そして上記受け部４０には支持部３２の凹所３６に嵌り込む凸部３９ｂが形成してある。
【００５０】
また、上記棚板１９の受け部のない切欠き部３９ａとなっている後方側部は、前記支持部３２の後支持部３５に設けた支持面部３５ａに載置可能ではあるが前支持部３４には載置できない寸法幅となっている。すなわち、棚板１９の後方両側部の幅寸法は、前記後支持部３５の支持面部３５ａ同士間の幅寸法よりは大きく前支持部３４同士間の寸法よりは小さくなるように設定してある。この例では冷凍室１８内に設けた左右いずれか一方側の前支持部３４の壁面からの突出寸法を他方の前支持部３４の突出寸法よりも大きくして前支持部３４同士間の幅寸法が棚板１９の後方両側部の幅寸法より大きくなるように構成してあるが、これは棚板１９後部の切欠き部３９ａ幅を左右で変えることによって行ってもよいものである。
【００５１】
そして、上記棚板１９の後方両側部は図１７（ａ）（ｂ）に示すように前記後支持部３５の支持面部３５ａに載置したとき、その上面が後支持部３５の支持面部３５ａより一段高い上面部３５ｂと略同一面状態となるように構成してある。
【００５２】
また、前記棚板１９の枠部材３９の前方両側部に設けた受け部４０には、図１７（ｃ）に示すように、前支持部３４を把持する断面略コ字状の凹溝４１が設けてあり、棚板１９の前方両側部はこの凹溝４１を前記前支持部３４に嵌合させて支持する構成となっている。
【００５３】
（１−５．冷蔵室内の照明構成）
次に図２２〜図２７を用いて冷蔵室１４に設けた照明装置３０の構成を説明する。
【００５４】
照明装置３０は、冷蔵室天面の幅方向に設けた天面光源ユニット４３と、冷蔵室側壁に設けた側壁光源ユニット４４とで構成してある。
【００５５】
冷蔵室側壁に設けた側壁光源ユニット４４はこの例では上下二つそれぞれ独立した形で分けて単独別個に設けてある。そして、上記各側壁光源ユニット４４、４４は、図２５に示すように、ＬＥＤからなる光源４５を装着した光源基板４６を備え、この光源基板４６を基板保持ケース４７に組込み、その前面側、すなわち冷蔵室内側に光透過性材料からなる光源カバー４８を装着して構成してある。
【００５６】
上記基板保持ケース４７は、図２５に示しているように、各側壁光源ユニット４４、４４の基板保持部分４７ａ、４７ａを連結桟４７ｂによって連結一体化した形としてあり、その連結桟４７ｂは発泡断熱材流動用の空間４９を形成するブリッジ形状としてある。
【００５７】
また、光源基板４６に装着した光源４５は、図２６に示すように、冷蔵室１４の奥方向に光を照射するように傾斜させて設けてあり、光源カバー４８の前記光源４５と対向する部分も同様に傾斜させてある。
【００５８】
また、上記冷蔵室側壁に設けた各側壁光源ユニット４４、４４は、図５に示すように、冷蔵室１４内に設けた棚板１９の上から二段目と三段目及び三段目と四段目の棚板１９間に配置してあり、更には各棚板１９間の高さ方向で中央より上方に位置するように設けてある。
【００５９】
一方、冷蔵室１４の天面に設けた天面光源ユニット４３は、図２７に示すようにＬＥＤからなる天面光源４３ａを天面光源基板４３ｂに複数個連続的に列設するとともにその天面光源４３ａを天面基板保持ケース４３ｃに入れ光透過性の天面光源カバー４３ｄで覆って長尺状に形成してあり、その天面光源４３ａは最上段の棚板１９ａの前端縁より前方に位置するように配置してある。そして更に天面光源カバー４３ｄは最上段の棚板１９ａの前端縁とオーバラップする如く配置してある。
【００６０】
（１−６．冷蔵室内の卵収納ケース構成）
次に冷蔵室１４内に設けた卵収納ケースの構成について図２８、図２９を用いて説明する。
【００６１】
この冷蔵庫は図５に示すようにその冷蔵室１４の下部に設けてあるチルド室２０の上面に卵収納ケース５０を着脱自在に載置して卵を収納可能としてある。
【００６２】
上記卵収納ケース５０は、図２８に示すように、ケース部５１と、複数の凹部５２を有する卵収納プレート５３とからなり、卵収納プレート５３はその後方、すなわち奥方向側ほど高くなるようにケース部５１に着脱自在に設置してある。
【００６３】
上記ケース部５１は、図２９に示すように、底面部５１ａを有するとともに、その前方部に把手部５４が設けてあり、更にその側壁５１ｂは後方、すなわち奥に行くほど高くなる形状としてその側壁内面部分に凹状に窪む一対の係止部５５が設けてある。
【００６４】
一方、卵収納プレート５３はその後部側壁部分に外側に向って突出するピン等からなる一対の係合部５６が設けてあり、その係合部５６を前記係止部５５に係止させてケース部５１に嵌合設置したり、係合部５６を係止部５５に係止させることなくケース部５１の底面部５１ａに載せる形で当該ケース部５１に嵌合設置したりすることができるようになっている。
（１−７．冷凍室と収納ケース構成）
次に図２、図３と図３０〜図４１を用いて冷凍室１８とその内部に設けた三段構成の収納ケースについて説明する。
【００６５】
図３に示すように、冷凍室１８は冷蔵室１４の下方で、かつ冷却室２３の前方にあって、内部に三段構成の収納ケース５８，５９，６０が出し入れ自在に設けてある。そして、冷凍室背面に設けた冷凍冷気吹出し口２３ａ（図４参照）を介して冷却室２３からの冷気が供給され、冷却されるようになっている。
【００６６】
冷凍室１８への冷凍冷気吹出し口２３ａは上下複数段設けてあり（図４では簡略化のた
め一段のみ記載している）、最上部の冷気吹出し口は製氷室１６および第二冷凍室１５に冷気を供給し、中段及び下段の冷気吹出し口は冷凍室１８内に冷気を供給するようになっている。
【００６７】
また、上記冷凍室１８はその下部に設けた冷凍冷気戻り口５７（図３、図４参照）に冷凍ダンパ（図示せず）が設けてあり、冷凍室１８へ供給される冷気量を制御して効率よく冷凍室１８を冷却できるようになっている。
【００６８】
上記冷凍室１８内に設けた三段構成の収納ケース５８，５９，６０は、図３０に示すように、冷蔵庫本体１の冷凍室１８を開閉する扉１１によって出し入れ自在となっている。
【００６９】
すなわち、冷凍室１８内には、三段構成のレール装置（以下、三段レール装置と称す）６１が取り付けてあり、この三段レール装置６１に冷凍室１８の扉１１内面に固定した扉レール６２が係合してある。
【００７０】
上記三段レール装置６１は、図３１に示すように、三段に重ねられた三つのレール、すなわち、固定レール６３、中間レール６４、容器支持レール６５からなり、固定レール６３に対して中間レール６４が移動可能であり、かつ、中間レール６４に対して容器支持レール６５が移動可能となっている。そして、固定レール６３（の側板部６３ａ）を図３４に示すように冷凍室１８の内壁面（内箱３内壁面）にビス止め等により固定し、容器支持レール６５に前記扉レール６２を載置係合させてある。この係合は容器支持レール６５に設けた突起６５ａ（図３１参照）を扉レール６２に設けた切欠き部（図示せず）等に嵌合させるなどして行っている。
【００７１】
上記構成、すなわち三段レール装置６１を採用したことにより、一段目の収納ケース５８はそのケース後端部まで冷蔵庫本体１外に引き出し可能となっている。
【００７２】
そして、図３５に示すように上記一段目の収納ケース５８の開口縁部に設けた第一ガイドレール部６６に二段目の収納ケース５９の底部側面に設けた凸部６７を載置し、一段目の収納ケース５８とともに二段目の収納ケース５９のケース後端部も冷蔵庫本体１外まで引き出し可能となっている。
【００７３】
さらに、三段目の収納ケース６０はその底部側面に設けた第一・第二突起６８ａ、６８ｂ（図３６参照）を前記二段目の収納ケース５９の開口縁部に設けた第二ガイドレール部６９に載置するとともに、最後尾側面に側方へ向けて突設した本体摺動用突起７０（図３６参照）を冷凍室１８の側壁部に固定してある本体レール７１に嵌合させて、当該本体レール７１と前記二段目の収納ケース５９とで支持してある。
【００７４】
そして、上記三段目の収納ケース６０はその底部側面の前記第二突起６８ｂより少し内側前寄り部分に前記二段目の収納ケース５９の後端壁上端よりも下方まで突出する連係用突起７２（図３６参照）が設けてあり、二段目の収納ケース５９の引出しによって当該二段目の収納ケース５９の後壁上端が連係用突起７２に係当して三段目の収納ケース６０を引き出すようになっている。
【００７５】
上記二段目、三段目の収納ケース５８，５９は一段目の収納ケース６０よりその前後長が若干短い寸法に形成してあり、扉１１を引き出すと図３７、図３８に示すように第一段、第二段の収納ケース５８，５９はその後端部まで冷蔵庫本体１外まで引き出され、三段目の収納ケース６０はその後端壁部分が冷蔵庫本体１内に位置するようなところまで引き出されひな壇のような状態となる構成となっている。
【００７６】
また、上記冷凍室１８側壁部の本体レール７１の前方端近傍には図３２に示すように山形状突起７１ａが形成してあり、三段目の収納ケース６０をひな壇状に引出し時には、この山形状突起７１ａに三段目の収納ケース６０最後尾側面に設けた本体摺動用突起７０が当接した状態となっているが、その状態でそのまま三段目の収納ケース６０を手動で引き出すと前記山形状突起７１ａを乗り越えて第二突起６８ｂが二段目の収納ケース５９の第二ガイドレール部６９に乗り移り、二段目の収納ケース５９上を前方へと摺動可能となっている。そして、三段目の収納ケース６０を更に引き出すと、図３９、図４０に示すように、三段目の収納ケース６０もその後端壁が冷蔵庫本体１外まで引き出せる構成となっている。
【００７７】
以上のように構成した冷蔵庫について、以下、その作用効果について説明する。
【００７８】
まず、冷蔵庫全体の冷却について簡単に説明する。
【００７９】
冷蔵庫は、冷蔵室１４の温度が設定温度より高くなると、圧縮機２７と冷却ファン２５を駆動し、冷却ファン２５が冷却器２４で生成された冷気を各室に供給する。
【００８０】
冷却ファン２５からの冷気は、冷蔵冷気供給口２２より冷蔵室ダンパ３７を介して冷蔵室ダクト２８に供給され、冷蔵室ダクト２８の左右両側面部に開口させた側面吐出口２８ｅから冷蔵室１４に吹き出し冷蔵室１４内を冷却する。
【００８１】
また、上記冷却ファン２５からの冷気は、野菜室ダクト２９を介して野菜室１７に供給され野菜室１７内を冷却する。
【００８２】
さらに、冷却ファン２５からの冷気は、冷凍冷気吹出し口２３ａから冷却室前方に位置する冷凍室１８及び製氷室１６と第二冷凍室１５に供給されこれら各室を冷却する。
【００８３】
次に冷蔵室１４内の棚板１９に関する作用効果について説明する。
【００８４】
冷蔵室１４には多種多彩な食品が収納されるが、この多種多彩な食品の中で小物食品は棚板１９の奥の方に収納していると、前方に突出している冷蔵室ダクト２８と冷蔵室背面壁１４ａとの間に生じている隙間から落下する恐れがある。
【００８５】
しかしながら、この冷蔵庫では上記隙間部分を棚板後端縁に設けた突出片３３によって塞いでいるので落下を防止することができる。
【００８６】
特に上記最上段の棚板１９の後端縁の後方にできる隙間は、冷蔵室ダクト２８が冷蔵室背面壁１４ａより前方へと屈曲して突き出した形となっているので大きく小物食品が落下しやすいが、このような大きな隙間が形成される部分であっても小物食品の落下を確実に防止することができる。
【００８７】
すなわち、上記最上段の棚板１９に設けた突出片３３はその後端縁に行くほど上方に位置する如く傾斜する傾斜面３３ａａとしてあるので、小物食品が突出片３３の後端縁側へと移動するのを防止する作用があり、しかも傾斜面３３ａａは上向き傾斜していることによりその後端縁と冷蔵室ダクト２８の前方に突き出ている部分の表面との間の間隔を狭くするので、小物食品の落下を確実に防止できる。これによって、使用者に小物食品の落下による不信感を抱くことのない信頼性の高い冷蔵庫とすることができる。
【００８８】
また、上記最上段の棚板１９に設けた突出片３３はその後端縁を上向きに傾斜させたことにより当該後端縁を冷蔵室背面壁１４ａまで突出させなくても小物食品の落下を防止で
きるので、突出片３３の奥行き寸法を小さなものとすることができる。特にこの部分は冷蔵室ダクト２８が前方に突き出ている部分であるから、冷蔵室背面壁１４ａまでの寸法は冷蔵室ダクト２８が突き出ている寸法分だけ長いものとなって、水平状態で冷蔵室背面壁１４ａまで突出させると大きなものとなり、棚板１９がその分だけ重くなって着脱しにくくなるが、この実施の形態の構成によればこのような棚板１９の重量増を最小限に抑え、小物落下を防止しつつ着脱しやすいものとすることができる。
【００８９】
次に上記棚板１９の支持に関してその作用効果を説明する。
【００９０】
上記各棚板１９はこれが汚れたような場合には冷蔵室１４内から取り外して水洗い等するが、その際、冷蔵庫が部屋の壁際に設置されていて扉１１が９０度以上に開くことができないようなことがあっても、この冷蔵庫では棚板１９を冷蔵室１４内から簡単に取り出すことができかる。
【００９１】
すなわち、この冷蔵庫の棚板１９は支持部３２に支持させた状態で手前側に引き出し、棚板１９前部に設けた受け部４０を前支持部３４より前方に位置させ、図２０、図２１（ｂ）に示すように棚板１９後部の切欠き部３９ａが前支持部３４に合致するところまでスライドすると、切欠き部３９ａが当該前支持部３４から脱落して図１４に示すように他方側の前支持部を支点に傾斜状態となる。したがって、扉１１が９０度以上に開くことができず扉ポケット１１ａが前方に位置していてもこの扉ポケットが邪魔になるようなことがなく、傾斜させた状態でそのまま手前側へと引き出し、簡単に棚板１９の着脱ができる。
【００９２】
上記棚板１９後部の切欠き部３９ａと冷蔵室側壁の前支持部３４とは、棚板１９の前端縁が少なくとも冷蔵室１４の開口端縁より後方位置の状態で合致する構成としてあり、これにより棚板１９を冷蔵室１４の開口端縁より前方まで引き出さなくても傾斜状態とすることができて、冷蔵室扉が９０度以上に開くことができなくても確実に棚板を着脱することができる。
【００９３】
また、上記棚板１９には棚板セット時に支持部３２の凹所３６に嵌り込む凸部３９ｂを設けてあるので、棚板取り出し時には棚板１９を少し持ち上げて上記凸部３９ｂを凹所３６から外し、手前側に引き出す必要がある。すなわち、棚板１９は手前側にスライドさせる前に上方に持ち上げるなどして凸部３９ｂと凹所３６の嵌合を外す、つまり棚板１９を取り外すという意思を持たないとスライドさせることができず、不用意に棚板１９を前方にスライドさせて棚板１９が前支持部３４から脱落し傾斜状態となるのを防止でき、安全性を向上させることができる。
【００９４】
また、上記棚板１９の前方両側部に設けた受け部４０には、前支持部３４を把持する断面略コ字状の凹溝４１を設けて前支持部３４に嵌合させてあるから、棚板１９の不用意な上下動を防止でき、棚板１９を確実に固定支持することができる。
【００９５】
加えて、上記各棚板１９は冷蔵室１４内に設けた支持部３２に載置して設置しているが、その棚板１９の後部は後支持部３５に設けた一段低い支持面部３５ａに載置してあるからその上面は後支持部３５の上面部３５ｂと略同一面となっており、棚板後側部の切欠き部分が凹状となって当該部分に小物食品が嵌り込むなどの事を防止でき、信頼性を高めることができる。
【００９６】
次に冷蔵室１４に設けた照明装置３０の作用効果について説明する。
【００９７】
この照明装置３０は冷蔵室天面に設けた天面光源ユニット４３と、冷蔵室側壁に設けた側壁光源ユニット４４とからなるが、冷蔵室側壁に設けた側壁光源ユニット４４は冷蔵庫
本体１の外箱２と内箱３との間に発泡断熱材４を充填するときの障害となりやすい。
【００９８】
しかしながら、この冷蔵庫では、上記側壁光源ユニット４４は光源毎に独立させてそれぞれ単独別個、この例では上下に分けてそれぞれ単独別個に設けてあるから、発泡断熱材充填時の発泡断熱材４の流れを阻害するようなことを抑制できる。
【００９９】
すなわち、側壁光源ユニット４４はそれぞれ単独別個に設けてあるから側壁光源ユニット４４同士の間には発泡断熱材４が流動する空間を確保することができる。その結果、発泡断熱材４は各側壁光源ユニット４４同士間を流動して冷蔵室１４の側壁前端縁部まで確実かつ円滑に流れ、良好な断熱性能を発揮するものとすることができる。したがって、冷蔵庫本体１の側壁に照明装置３０を設置しつつ当該側壁を薄くして内容量を増加させることができる。つまり、本体寸法は現状のまま大容量、かつ、視認性の高い冷蔵庫とすることができる。
【０１００】
また、上記冷蔵室側壁の各側壁光源ユニット４４は光源４５を有する光源基板４６と、上記光源基板４６を保持する基板保持ケース４７とからなり、前記各基板保持ケース４７は基板保持部分４７ａを連結桟４７ｂによって連結一体化するとともに、当該連結桟４７ｂは発泡断熱材流動用の空間４９を形成するブリッジ形状としてあるから、光源ユニット設置の作業性を向上させると同時に側壁の薄型化を実現し、照明装置設置と側壁薄型化を両立することができる。
【０１０１】
すなわち、各側壁光源ユニット４４は基板保持ケース４７に保持されて一体物となり、この基板保持ケース４７を取り付けるだけで各側壁光源ユニット４４の取付けができ作業性が向上する。しかも、上記側壁光源ユニット４４を一体化する基板保持ケース４７の連結桟４７ｂがブリッジ形状になっていて発泡断熱材流動用の空間４９を形成しているので発泡断熱材４はこの空間４９を通って冷蔵室側壁前端縁まで円滑に流動することができ、側壁が薄いものであっても側壁前端部分の断熱性を良好なものとすることができる。したがって、光源ユニット設置の作業性を向上させると同時に側壁の薄型化を実現し、照明装置設置と側壁薄型化を両立することができるのである。
【０１０２】
また、この実施の形態では上記冷蔵室側壁に設けた各側壁光源ユニット４４は上から二段目と三段目及び三段目と四段目の棚板１９間に独立させて設けてあるから、冷蔵室天面の天面光源ユニット４３から光の届きにくい中段から下方部分の冷蔵室１４内を明るくすることができ、冷蔵室内の視認性を上げることができる。
【０１０３】
加えて、上記棚板１９間に設けた冷蔵室側壁の各側壁光源ユニット４４は各棚板間の高さ方向で中央より上方に設けてあるから、各棚板１９間を上方から照射することができ、各棚板１９の前方部分に比較的背丈の高い食品が置かれていても奥に載置してある食品を確実に照射でき、視認性を大きく向上させることができる。
【０１０４】
一方、冷蔵室１４の天面に設けた天面光源ユニット４３はその天面光源４３ａが最上段の棚板１９ａの前端縁より前方に位置するように設けてあるから、棚板前端縁の前方から冷蔵室１４内部を効率よく照射することができ、冷蔵室１４内の視認性を更に向上することができる。
【０１０５】
しかもこの実施の形態では上記天面光源ユニット４３の天面光源カバー４３ｄを最上段の棚板１９の前端縁とオーバラップするように位置させてあるから、天面光源４３ａの光を天面光源カバー４３ｄで拡散して冷蔵室１４の上部全域を照射でき、視認性を向上することができる。
【０１０６】
次に冷蔵室１４内に設けた卵収納ケース５０の作用効果について説明する。
【０１０７】
この卵収納ケース５０は、ケース部５１と、複数の凹部５２を有する卵収納プレート５３とからなり、上記卵収納プレート５３はケース部５１の奥向に行くほど高くなるように設置した構成としてあるから、卵収納プレート５３の凹部５２に収納した卵は奥に行くほど上方に位置することになる。したがって、ケース部５１を冷蔵室１４から引き出さなくても当該ケース部５１の手前側から手を差し入れて簡単に卵を取り出すことができる。
【０１０８】
また、上記卵収納ケース５０は、ケース部５１と卵収納プレート５３を別体構成として着脱自在としてあるから、ケース部５１から卵収納プレート５３を取り外して当該ケース部５１を卵以外の収納ケースとして利用することができ、収納用途を広げることができる。
【０１０９】
更に、前記ケース部５１はその側壁の高さを奥に行くほど高くなる形状として係止部５５を設けるとともに、卵収納プレート５３は前記係止部５５に係合する係合部５６を設けた構成としてあるから、上記係止部５５と係合部５６を係合させるだけで卵収納プレート５３を傾斜設置できるとともに、当該係止部５５と係合部５６との係合を外した状態で卵収納プレート５３をケース部５１に設置することによって卵収納プレート５３を水平状態にすることもでき、使用者の好みに応じて使い分けることができる。
【０１１０】
また、前記卵収納ケース５０はケース部５１その前部に把手部５４を設けてあるから、ケース部５１の引出しが容易になり、卵以外の収納に使用しているときの使い勝手を向上させることができる。
【０１１１】
最後に冷凍室１８に設けた三段構成の収納ケースの作用効果について説明する。
【０１１２】
冷凍室１８には扉１１の開閉によって出し入れ自在な収納ケースが設けてある。この冷蔵庫では一段、二段、三段に重ねた形で収納ケース５８、５９。６０が設けてあり、多彩な冷凍食品を好みに応じて積み重ねることなく分けて収納することができる。
【０１１３】
また、上記三段の収納ケースのうち、一段目と二段目の収納ケース５８、５９は、既に述べたように、扉１１を開くことによって図３７〜図４０に示す如くその後端部まで冷蔵庫本体１（冷凍室１８）の外まで引き出すことができる。したがって、一段目、二段目の収納ケース５８、５９の後端壁近傍の奥まった部分に収納している冷凍食品の出し入れが容易になり、使い勝手が向上する。
【０１１４】
また、上記の如く引き出される二段目の収納ケース５９はこれに設けた連係用突起７２が三段目の収納ケース６０の後壁上端に係当して三段目の収納ケース６０を引き出す。そして、三段目の収納ケース６０は、図３７、図３８に示すようにその後端部を冷蔵庫本体１（冷凍室１８）内に残した形で冷蔵庫本体１（冷凍室１８）外まで引き出される。したがって、扉１１を開いたのちにわざわざ三段目の収納ケース６０を手動で引き出す必要がなく、三段目の収納ケース６０内への食品の出し入れも扉１１を開くだけのワンタッチ操作で行うことができ、使い勝手が向上する。
【０１１５】
更にこの三段目の収納ケース６０は上記状態から手前側に引き出すと、その最後尾側面に設けた本体摺動用突起７０が本体レール７１に設けてある山形状突起７１ａを乗り越えて第二突起６８ｂが二段目の収納ケース５９の第二ガイドレール部６９に乗り移り、二段目の収納ケース５９上を移動させて冷蔵庫本体１（冷凍室１８）外まで更に大きく引き出すことができる。したがって、この三段目の収納ケース６０もその後端壁まで冷蔵庫本体１（冷凍室１８）外に引き出すことができ、三段目の収納ケース６０の後端壁近傍の奥ま
った部分に収納している冷凍食品の出し入れが容易になり、使い勝手が更に良いものとなる。
【０１１６】
なお、上記扉１１の引出しに伴う各収納ケース５８、５９、６０の動きは図４１に示す通りであり、冷蔵庫本体から引き出されていく状態を（ａ）（ｂ）（ｃ）（ｄ）の順で示している。
【０１１７】
また、上記三段の収納ケース５８、５９、６０のうち、二段目と三段目の収納ケース５８、５９は、扉１１を開いた状態で冷蔵庫本体１（冷凍室１８）内にそれぞれ押し込むことができるので、一段目の収納ケース５８、及び二段目のケース５９に対する食品の出し入れは支障なく行うことができる。
【０１１８】
この時、上記三段目の収納ケース６０はこれを押し込むとその最後尾側面に設けた本体摺動用突起７０が本体レール７１に乗り移るが、この例では上記本体レール７１に設けてある山形状突起７１ａを乗り越えて自動的に本体レール７１に乗り移り、本体レール７１と二段目の収納ケース５９とによって支持されるようになる。したがって三段目の収納ケース６０の冷蔵庫本体１（冷凍室１８）への収納を山形傾斜によって円滑なものとすることができ、使い勝手が向上する。
【０１１９】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【０１２０】
本発明は、上記実施の形態の説明から明らかなように、卵の取り出しが簡単にできる卵収納ケースと使い勝手の良い冷蔵庫を提供することができる。よって、家庭用および業務用など様々な種類および大きさの間冷式の冷蔵庫に適用すれば効果的である。
【符号の説明】
【０１２１】
１  冷蔵庫本体
７、８、９、１０、１１  扉
１４  冷蔵室
１９、１９ａ  棚板
２０  チルド室
５０  卵収納ケース
５１  ケース部
５１ａ  底面部
５１ｂ  側壁
５２  凹部
５３  卵収納プレート
５４  把手部
５５  係止部
５６  係合部
【図１】
2018105581.tif 000003
【図２】
2018105581.tif 000004
【図３】
2018105581.tif 000005
【図４】
2018105581.tif 000006
【図５】
2018105581.tif 000007
【図６】
2018105581.tif 000008
【図７】
2018105581.tif 000009
【図８】
2018105581.tif 000010
【図９】
2018105581.tif 000011
【図１０】
2018105581.tif 000012
【図１１】
2018105581.tif 000013
【図１２】
2018105581.tif 000014
【図１３】
2018105581.tif 000015
【図１４】
2018105581.tif 000016
【図１５】
2018105581.tif 000017
【図１６】
2018105581.tif 000018
【図１７】
2018105581.tif 000019
【図１８】
2018105581.tif 000020
【図１９】
2018105581.tif 000021
【図２０】
2018105581.tif 000022
【図２１】
2018105581.tif 000023
【図２２】
2018105581.tif 000024
【図２３】
2018105581.tif 000025
【図２４】
2018105581.tif 000026
【図２５】
2018105581.tif 000027
【図２６】
2018105581.tif 000028
【図２７】
2018105581.tif 000029
【図２８】
2018105581.tif 000030
【図２９】
2018105581.tif 000031
【図３０】
2018105581.tif 000032
【図３１】
2018105581.tif 000033
【図３２】
2018105581.tif 000034
【図３３】
2018105581.tif 000035
【図３４】
2018105581.tif 000036
【図３５】
2018105581.tif 000037
【図３６】
2018105581.tif 000038
【図３７】
2018105581.tif 000039
【図３８】
2018105581.tif 000040
【図３９】
2018105581.tif 000041
【図４０】
2018105581.tif 000042
【図４１】
2018105581.tif 000043
【図４２】
2018105581.tif 000044
【図４３】
2018105581.tif 000045